(57)【要約】【課題】カードが正規挿入されているのか否かが判断し難いという問題をコネクタ自体の厚みを損なわずに解決する。【解決手段】イジェクト用スライド体１６にカード挿入排出方向へ移動可能なロック規制部材３６を備え、これをカード２が正規挿入されて先端がスライド体１６の受面２４に当接時の角落し部３５領域に配置し、カード２誤挿入時、角落しされないカード２角部でスライド体１６からカード挿入方向奥側へ押出しスライド体１６のロック位置への移動を規制する。共用コネクタにおいては前記ロック規制部材３６を小形カード２に対し作用させ、大形カード１に対し作用させる固定ロック規制部材３７をカード挿入室１１の底壁４に備え、これを前記ロック規制部材３６の下側に配置し、大形カード１誤挿入時、角落しされない大形カード１角部に当接させスライド体１６のロック位置への移動を規制する。【選択図】図１
2005050741.tif 000002
【特許請求の範囲】
【請求項１】
矩形のカード先端一側に角落し部を形成し、他方カード挿入口と連通するカード挿入室内にカード先端が当接する受面を有してカード挿入に追従して移動するイジェクト用のスライド体を備え、このスライド体にはカード挿入及び排出方向へ移動可能にロック規制部材を備え、このロック規制部材はカードが正規挿入姿勢で挿入されてカード先端がスライド体の受面に当接した時の角落し部領域に配置され、カードが正規挿入姿勢以外の姿勢で誤挿入された時、角落しされていないカードの角部によってスライド体からカード挿入方向へ突出するように押出され、スライド体がロック位置まで移動するのを規制することを特徴とするカードコネクタ。
【請求項２】
サイズの異なる大形カードと小形カードの２種類に共用のカードコネクタにおいて、前記ロック規制部材を小形カードに対して作用させ、他方大形カードに対して作用させる固定のロック規制部材をカード挿入室の底壁に備え、この固定のロック規制部材は大形カードが正規挿入姿勢でカードセット位置に挿入された時の角落し部下面の溝に入り込むように前記ロック規制部材の下側に配置され、大形カードが正規挿入姿勢以外の姿勢で誤挿入された時、角落しされていない大形カードの角部に当接させ、スライド体がロック位置まで移動するのを規制する請求項１記載のカードコネクタ。
【請求項３】
スライド体には前記固定のロック規制部材を入り込ませてカード挿入及び排出方向の移動を許容するための溝を備える請求項２記載カードコネクタ。
【発明の詳細な説明】
【技術分野】
【０００１】
本発明は、パーソナルコンピューター、ＰＤＡ（ personal digital assistance ）、携帯電話機、デジタルビデオ、デジタルカメラ、ポータブルオーディオ、カーオーディオ及びカーナビ等の様々な電子機器（デジタル機器）のプリント基板上に実装されるカードコネクタに関する。詳しくは、様々な電子データ（デジタルデータ）を記録し、様々な電子機器間で移動させたり交換するためのＩＣ記録媒体として用いられるメモリーカードであって、先端一側に誤挿入防止用の角落し部が形成された矩形のカードを受入れて、このカードに内蔵された電子回路と電子機器に内蔵された電子回路とを電気的に接続させるためのカードコネクタに関する。
【背景技術】
【０００２】
この種コネクタには、サイズ（形状）が同じ１種類のカードのみが使用可能な専用コネクタと、１スロットでサイズ（形状）の異なる２種類のカードが使用可能な共用コネクタとがあり、いずれのコネクタもイジェクト機構付きのものにあっては、カードが正規挿入姿勢以外の姿勢で誤挿入された場合、イジェクト用のスライド体がカードに追従してロック位置まで移動しロックされてしまうため、コネクタの外観からカードが正規挿入姿勢で挿入されているのか否かが判断し難いという問題があった。
【０００３】
そこで、スライド体にカード挿入及び排出方向と直交する上下方向に変位可能なロック爪を設け、このロック爪をカードが正規挿入姿勢で挿入されてカード先端がスライド体の受面に当接した時の角落し部領域に配置し、カードが正規挿入姿勢以外の姿勢で誤挿入された時、角落しされていないカードの角部によってロック爪を押下げ、カード挿入空間の底壁に設けた係止溝に係止させ、スライド体の移動を阻止するという技術（特許文献１参照。）を採用することで、前記問題は解決できるが、ロック爪を上下方向に変位させてカード挿入空間の底壁に設けた係止溝に係脱させる構造のため、コネクタ自体の厚みが大きくなり、特に共用コネクタの場合は顕著で、小型化の一途をたどる電子機器のプリント基板上に実装されるコネクタには採用し難い。
【特許文献１】特開平９−７６９４号公報
【発明の開示】
【発明が解決しようとする課題】
【０００４】
イジェクト機構付きの専用コネクタや共用コネクタにおいて、カードが正規挿入姿勢で挿入されているのか否かが判断し難いという問題を、コネクタ自体の厚みを損なわずに（大きくならないように）解決することを本発明の主たる目的とする。
【課題を解決するための手段】
【０００５】
本発明は、カードが正規挿入姿勢以外の姿勢で誤挿入された場合、イジェクト用のスライド体を初期位置に自動復帰させるため、スライド体にはカード挿入及び排出方向へ移動可能にロック規制部材を備え、このロック規制部材をカードが正規挿入姿勢で挿入されてカード先端がスライド体の受面に当接した時の角落し部領域に配置し、カードが正規挿入姿勢以外の姿勢で誤挿入された時、角落しされていないカードの角部によってスライド体からカード挿入方向へ突出するように押出し、スライド体がロック位置まで移動するのを規制することを特徴とする。
【０００６】
また、共用コネクタにおいては、前記ロック規制部材を小形カードに対して作用させ、他方大形カードに対して作用させる固定のロック規制部材をカード挿入室の底壁に備え、この固定のロック規制部材を大形カードが正規挿入姿勢でカードセット位置に挿入された時の角落し部下面の溝に入り込み、かつ小形カード挿入時には小形カードの下側に入り込むように前記ロック規制部材の下側に配置され、大形カードが正規挿入姿勢以外の姿勢で誤挿入された時、角落しされていない大形カードの角部に当接させ、スライド体がロック位置まで移動するのを規制する。この場合、スライド体には前記固定のロック規制部材を入り込ませてカード挿入及び排出方向の移動を許容するための溝を備える。
【発明の効果】
【０００７】
本発明のコネクタは、ロック規制部材をカード挿入及び排出方向（前後方向）に移動させてスライド体のロック位置への移動を、カードが正規挿入姿勢で挿入された場合に許容し、カードが正規挿入姿勢以外の姿勢で誤挿入された場合には規制し、カードの押込みを解除すると、イジェクトバネによってスライド体を初期位置に自動復帰させるため、コネクタ自体の厚みを損なわずに、カードが誤挿入されていることを明確に判断させることができるという顕著な効果を奏する。
【０００８】
また、共用コネクタにおいては、前記ロック規制部材で小形カードの誤挿入に対応する一方、大形カードの誤挿入に対して固定のロック規制部材によってスライド体のロック位置への移動を規制し、スライド体を初期位置に自動復帰させるため、共用コネクタにおいても、コネクタ自体の厚みを損なわずに、それぞれのカードが誤挿入されていることを明確に判断させることができるという顕著な効果を奏する。
【発明を実施するための最良の形態】
【０００９】
カードが正規挿入姿勢以外の姿勢で誤挿入された場合、スライド体を初期状態に自動復帰させ、カードが誤挿入されていることを明確に判断できるようにするという目的を、コネクタ自体の厚みを損なわずに実現した。
【実施例】
【００１０】
図１はカバーを取外したコネクタの外観斜視図、図２は図１の平面図であって、このコネクタは１スロットでサイズの異なる２種類の矩形のカード（本実施例では大形カード１としてソニー株式会社の「メモリースティック」を示し、小形カードとして同社の「メモリースティックＤｕｏ」を示している。）が使用可能な共用コネクタで、かつ所謂プッシュイン／プッシュアウト型のイジェクト機構付きコネクタである。以下、図２の紙面上側を後（奥）、下側を前（手前）として本実施例のコネクタを説明する。
【００１１】
図１及び図２に示すように、本実施例のコネクタは樹脂材料で一体成形する本体ボディ３を備える。この本体ボディ３は矩形のボディ底壁４の後側縁及び左右側縁から後側壁５及び左右側壁６,７を直角に立上げると共に、左右側壁６,７の前端部を部分的に肉厚に形成して内側へ直角に張出す左右張出し部８,９を形成し、この左右張出し部８,９の間が大形カード１の短尺側寸法に見合った横幅寸法と大形カード１の厚さに見合った高さを有する大形カード１及び小形カード２共用の単一のカード挿入口１０となる。また本体ボディ３は図示しない板金製のカバーによって開放上面が塞がれ、扁平で矩形なコネクタハウジングを形成する。このコネクタハウジングの前端面には前記カード挿入口１０が開口形成され、コネクタハウジング内にカード挿入口１０と連通するカード挿入室１１が形成される。図中１２はカード挿入口１０を開閉する蓋である。
【００１２】
また、本体ボディ３には左右横方向に並べて配備される複数本（本実施例では１０本）のコンタクト端子１３を備える。この各コンタクト端子１３は導電性に優れた金属製の細長い接触バネ片で構成され、前半部をカード挿入室１１の底壁となるボディ底壁４の略中央部に固着し、後半部をカード挿入室１１内に後上がり傾斜状に立上げ、自由端部となる後端に下方に開いた円弧状の接点１４を形成する。各コンタクト端子１３の前端部はボディ底壁４の切欠き部１５を介してコネクタ裏面側に取出され、コネクタを実装する電子機器のプリント配線基板に半田接続される。
【００１３】
図３乃至図１２にも示すように、前記カード挿入室１１内（本体ボディ３の内側）にはイジェクト用のスライド体１６を備える。このスライド体１６はボディ底壁４上で左右のボディ側壁６,７に沿ってカード挿入及び排出方向（前後方向）へ摺動可能で、前端左右両側端面が前記左右張出し部８,９に当接する初期位置（イジェクト位置）と後端面がボディ後側壁５に当接する最押込み位置との間で往復移動可能である。このスライド体１６とボディ後側壁５との間にはコイルバネで構成するイジェクトバネ１７が張架され、このイジェクトバネ１７によってスライド体１６を常時カード排出方向（前方）へ弾力的に押し、スライド体１６を初期位置に位置保持する。
【００１４】
前記スライド体１６はこの中央部の前端から後端近傍までを下側に窪ませて大形カード１の短尺側寸法に見合った横幅寸法と大形カード１の厚さに見合った深さを有する大形カード１及び小形カード２共用のカード収容凹部１８を設け、カード挿入口１０を通してカード挿入室１１に挿入された大形カード１又は小形カード２をスライド体１６のカード収容凹部１８内に受入れる。このカード収容凹部１８の左右両側には大形カード１又は小形カード２を左右から挟みスライド体１６に保持させる左右位置決めを兼用する板バネ製の挟持部材１９,２０が設けられ、カード収容凹部１８の底面の前部左右両側には大形カード１又は小形カード２をこの下面側から押上げカード挿入室１１の天井となるカバー上面に押付ける板バネ製の上下位置決め部材２１,２２が設けられる。
【００１５】
前記カード収容凹部１８の奥壁面は２段の階段状に形成され、この奥壁面の下部手前側の垂直面が大形カード１の先端面を当接させる第１受面２３となり、上部奥側の垂直面が小形カード２の先端面を当接させる第２受面２４になり、スライド体１６をカード収容凹部１８に受入れた大形カード１又は小形カード２の挿入に追従して最押込み位置までイジェクトバネ１７に抗してカード挿入方向（後方）へ移動可能にしてある。カード収容凹部１８の左右一側（本実施例では左側）には大形カード１の先端面が第１受面２３に当接する受入れ位置でこの大形カード１のセミロック溝２５に係入させる板バネ製の大形カード抜止め用の第１係止体２６と、小形カード２の先端面が第２受面２４に当接する受入れ位置でこの小形カード２のセミロック溝２７に係入させる板バネ製の小形カード抜止め用の第２係止体２８とが設けられる。
【００１６】
前記カード収容凹部１８の底面中央部にはスライド体１６の下面に貫通する矩形のコネクタ窓２９を開口形成され、このコネクタ窓２９から横並びの前記コネクタ端子１３列をカード収容凹部１８内に突出させ、スライド体１６の移動経路にコネクタ端子１３列を配備すると共に、第１及び第２受面２３,２４にスライド体１６の後端面に貫通する複数（本実施例では１０個）の貫通孔３０を左右横方向に並べて開口形成し、スライド体１６の後部を各貫通孔３０を介して自由状態の各コネクタ端子１３の後上がり傾斜部及びその先端の接点１４に干渉させることなく通過可能にしてある。
【００１７】
前記スライド体１６とイジェクトバネ１７と後述するロック機構３１とによって所謂プッシュイン／プッシュアウト型のイジェクト機構を構成するもので、ロック機構３１はハート形のカム溝３２とカムピン３３とで構成される。
【００１８】
カム溝３２はカード収容凹部１８の左右一外側となるスライド体１６の左右一側縁部（本実施例では右縁部）の上面に形成し、カムピン３３は金属製の細長い丸棒の両端を一方向に直角に折曲げて構成し、この一方の折曲げ端部（カムピン前端）３３ａを右張出し部９に軸支させ、他方の折曲げ端部（カムピン後端）３３ｂを前記カム溝３２内に摺動自在に係入させており、カム溝３２はこの一端側窪み部分に設定される係止部３２ｃと、この係止部３２ｃから少し斜め前方へ進んだ所で折返して後方へ延びる左右対称の往路３２ｂ及び復路３２ｄと、これら往路３２ｂ及び復路３２ｄの後端部を重ねて１つにした起点通路３２ａとを備え、往路３２ａでのカム溝３０の溝底を起点通路３２ａから係止部３２ｃに向かって下り傾斜に形成すると共に、復路３２ｄでのカム溝３２の溝底を係止部３２ｃから起点通路３２ａに向かって上り傾斜に形成し、カム溝３２内でのカムピン後端３３ｂの逆走を防止して一方向に移動させるようにしてある。そして、図２に示すように、スライド体１６が初期位置にある時、カムピン後端３３ｂは起点通路３２ａ内に位置する。大形カード１又は小形カード２によりスライド体１６が初期位置から最押込み位置へ押込む１回目の押込み操作を行いその押込みを解除することで、カムピン後端３３ｂが起点通路３２ａから往路３２ｂ内を移動して係止部３２ｃに導入係止され、図３及び図５、図７及び図９に示すように、スライド体１６が最押込み位置より少し手前の押込み位置にて本体ボディ３に対して位置保持されてロックされる。また大形カード１又は小形カード２によりスライド体１６を押込み位置から最押込み位置へ押込む２回目の押込み操作を行いその押込みを解除することで、係止部３２ｃに係止していたカムピン後端３３ｂが、係止部３２ｃから離脱してスライド体１６のロックが解除され、復路３２ｄ内を移動して起点通路３２ａ内へ復帰し、スライド体１６が押込み位置から初期位置へ復帰移動される。
【００１９】
即ち、本実施例のコネクタではスライド体１６を初期位置から最押込み位置へ移動させることで初めてロック機構３１が働き、スライド体１６が所定の押込み位置でロックされ、またスライド体１６を押込み位置から再び最押込み位置へ移動させることで初めてスライド体１６のロックが解除されて初期位置へ復帰可能となる。
【００２０】
以上の説明は大形カード１又は小形カード２が、図３及び図７に示すように、正規挿入姿勢で挿入された場合のもので、図４及び図８に示すように、正規挿入姿勢以外の姿勢で誤挿入された場合の対策として、カード側では矩形の大形カード１及び小形カード２それぞれの先端一側に角落し部３４，３５を形成し、他方コネクタ側では２種類のスライド体１６のロック規制部材３６，３７を備える。
【００２１】
大形カード１及び小形カード２の正規挿入姿勢とは、図３及び図７に示すように、これらカード１，２の先端部裏面に左右方向に横並びで配置される複数ピン（本実施例では１０ピン）の接点が下に向けられかつこの接点側からコネクタに挿入されるカード挿入姿勢をいう。
【００２２】
一方のロック規制部材３６はスライド体１６に備えるもので、スライド体１６のカード収容凹部１８の縁枠部分の一部分を分割し、スライド体１６に対してカード挿入及び排出方向（前後方向）へ変位可能に備える可動体で構成される。詳しくは、カード収容凹部１８の奥壁を形成するスライド体１６の後側縁部の一側端部分（本実施例では左端部分）を部分的にカード挿入及び排出方向（前後方向）へ移動変位可能に分割し、大形カード１が正規挿入姿勢で挿入されて先端部がスライド体１６のカード収容凹部１８に嵌込まれ先端面が第１受面２３に当接した時の角落し部３４領域に配置され、大形カード１に可動ロック規制部材３６が干渉しないようにしてある。
【００２３】
可動ロック規制部材３６はスライド体１６との摺接面の間で突起３８と溝３９を介してスライド体１６に対して所定の範囲内でカード挿入及び排出方向（前後方向）へ摺動変位可能に係止させており、この可動ロック規制部材３６は前方への移動終端位置及び後方への移動終端位置のいずれの位置においても、前端部が前記角落し部３４領域内に突出し、第１受面２３及び第２受面２４と同様に垂直で前方に向くロック規制部材３６の前端面によって第１受面２３及び第２受面２４の一側端部にこれらより前側に張出す第３受面４０を形成し、可動ロック規制部材３６が前方への移動終端位置に移動時、この後端面４１がスライド体１６の後端面と面一になるように後端部がスライド体１６内に退入し、可動ロック規制部材３６が後方への移動終端位置に移動時、この後端面４１がスライド体１６の後端面から後方へ突出するように後端部がスライド体１６から所定寸法だけ後方（奥側）へ押出される。
【００２４】
可動ロック規制部材３６の前部上面を後部上面より一段低く形成する逃がし凹所４２を設け、小形カード２が正規挿入姿勢で挿入されて先端部がスライド体１６のカード収容凹部１８に嵌込まれ先端面が第２受面２４に当接した時、可動ロック規制部材３６の前部を小形カード２の角落し部３５下面の溝４３に入り込ませ、小形カード２に可動ロック規制部材３６が干渉しないようにしてある。
【００２５】
他方のロック規制部材３７は本体ボディ３に備えるもので、ボディ底壁４から上方へ一体に張出し形成する矩形断面でカード挿入及び排出方向（前後方向）へ延びるリブ体で構成される。詳しくは、前記可動ロック規制部材３６の下側に配置され、スライド体１６の移動に伴う可動ロック規制部材３６の移動経路に沿ってこの移動範囲に設けられ、スライド体１６が初期位置に移動し、かつ可動ロック規制部材３６が前方への移動終端位置に移動している時の第３受面（可動ロック規制部材３６の前端面）の下側に固定ロック規制部材３７の前端面を臨ませ、この固定ロック規制部材３７の前端面によって第３受面４０の下側にこれと面一になる固定の第４受面４４を形成し、小形カード２に固定ロック規制部材３７が干渉しないようにすると共に、大形カード１が正規挿入姿勢で挿入されて先端部がスライド体１６のカード収容凹部１８に嵌込まれ先端面が第１受面２３に当接した時、固定ロック規制部材３７の前部を大形カード１の角落し部３４下面の溝４５に入り込ませ、大形カード１に固定ロック規制部材３７が干渉しないようにしてある。
【００２６】
前記スライド体１６にはこの後端から可動ロック規制部材３６の支持突起３８の下側を通過して前方に延びる溝４６を備え、この溝４６内に固定ロック規制部材３７を入り込ませ、スライド体１６の初期位置と押込み位置間の移動を許容するようにしてある。尚、固定ロック規制部材３７は後端をボディ後側壁５まで延設形成してある。
【００２７】
そして、図７及び図９及び図１１に示すように、小形カード２が正規挿入姿勢でカード挿入口１０からカード挿入室１１に挿入された場合（１回目の押込み操作）、小形カード２はこの先端部（挿入端部）が初期位置にあるスライド体１６のカード収容凹部１８内に嵌込まれ、角落し部３５によって可動ロック規制部材３６には干渉することなく先端面が第２受面２４に当接する。また小形カード１の先端部（挿入端部）は挟持部材１９,２０及び上下位置決め部材２１,２２及び第２係止体２８によってスライド体１６のカード収容凹部１８の上部に受入れ保持されるので固定ロック規制部材３６にも干渉しない。この状態でさらに小形カード２の挿入（１回目の押込み操作）を続行すると、第２受面２４が押圧されてスライド体１６がイジェクトバネ１７に抗してカード挿入方向（後方）へ移動する。この際、可動ロック規制部材３６は働いておらず、スライド体１６の最押込み位置への移動を規制しないので、スライド体１６はこの後端面がボディ後側壁５に突当たる最押込み位置まで移動する。スライド体１６が最押込み位置に移動した時点で小形カード２の挿入を止める（１回目の押込みを解除する）と、スライド体１６はロック機構３１の働きによって最押込み位置より少し手前の押込み位置にて本体ボディ３に対してロックされ、小形カード２をカードセット位置に挿入保持し、各コネクタ端子１３の接点１４を小形カード２の接点に接触保持させる。小形カード２がカードセット位置に挿入保持されている状態から新たに小形カード２の挿入（２回目の押込み操作）が行われると、再び第２受面２４が押圧されて押込み位置にあるスライド体１６がイジェクトバネ１７に抗してカード挿入方向（後方）へ移動する。スライド体１６が再び最押込み位置に移動した時点で小形カード２の挿入を止める（２回目の押込みを解除する）と、スライド体１６はロックが解除されてイジェクトバネ１７によってカード排出方向（前方）へ移動して初期位置へ復帰し、小形カード２の排出（イジェクト）が行われる。
【００２８】
図８及び図１０及び図１２に示すように、小形カード２が正規挿入姿勢以外の姿勢でカード挿入口１０からカード挿入室１１に誤挿入された場合（１回目の押込み操作）、小形カード２はこの先端部（挿入端部）が初期位置にあるスライド体１６のカード収容凹部１８内に嵌込まれ、小形カード２の角落しされていない角部先端面が第３受面４０（可動ロック規制部材３６の前端面）に当接する。この状態でさらに小形カード２の挿入（１回目の押込み操作）が続行されると、第３受面４０が押圧されて可動ロック規制部材３６がカード挿入に追従してカード挿入方向（後方）へ押込まれてこの後方への移動終端位置に移動変位し、可動ロック規制部材３６の後端部がスライド体１６の後端から後方へ押出され、可動ロック規制部材３６の後端面４１がスライド体１６の後端面より後方へ突出した状態で、可動ロック規制部材３６がカード挿入方向でスライド体１６に係合し、スライド体１６をイジェクトバネ１７に抗してカード挿入方向（後方）へ移動させるが、スライド体１６が最押込み位置に移動する前にスライド体１６の後端面から後方へ突出保持されているロック規制部材３６の後端面４１がボディ後側壁５に突当たり干渉することで、スライド体１６の最押込み位置への移動が規制され、スライド体１６は最押込み位置に到達しないため、前記ロック機構３１は働かず、小形カード２の挿入を止める（１回目の押込みを解除する）と、スライド体１６はロックされていないためイジェクトバネ１７によってカード排出方向へ移動して初期位置に自動復帰し、誤挿入された小形カード２の自動排出（小形カード２の誤挿入対策）か行われる。
【００２９】
尚、小形カード２の誤挿入直後の正規挿入時には、可動ロック規制部材３６は後方への移動終端位置に移動変位した状態になっているが、１回目の押込み操作でスライド体１６が最押込み位置へ移動する際に、可動ロック規制部材３６の後端面４１がボディ後側壁５に当接して、可動ロック規制部材３６がスライド体１６に押込まれて前方への移動終端位置へ移動変位するので、スライド体１６の最押込み位置への移動は規制されない。
【００３０】
他方、図３及び図５及び図１１に示すように、大形カード１が正規挿入姿勢でカード挿入口１０からカード挿入室１１に挿入された場合（１回目の押込み操作）、大形カード１はこの先端部（挿入端部）が初期位置にあるスライド体１６のカード収容凹部１８内に嵌込まれ、角落し部３４によって可動ロック規制部材３６及び固定ロック規制部材３７には干渉することなく先端面が第１受面２３に当接する。この状態でさらに大形カード１の挿入（１回目の押込み操作）を続行すると、第１受面２３が押圧されてスライド体１６がイジェクトバネ１７に抗してカード挿入方向（後方）へ移動する。この際、可動ロック規制部材３６は働いておらず、また固定ロック規制部材３７も角落し部３４下面の溝４５に入り込み、スライド体１６の最押込み位置への移動を規制しないので、スライド体１６はこの後端面がボディ後側壁５に突当たる最押込み位置まで移動する。スライド体１６が最押込み位置に移動した時点で大形カード１の挿入を止める（１回目の押込みを解除する）と、スライド体１６はロック機構３１の働きによって最押込み位置より少し手前の押込み位置にて本体ボディ３に対してロックされ、大形カード２をカードセット位置に挿入保持し、各コネクタ端子１３の接点１４を大形カード１の接点に接触保持させる。大形カード１がカードセット位置に挿入保持されている状態から新たに大形カード１の挿入（２回目の押込み操作）が行われると、再び第１受面２３が押圧されて押込み位置にあるスライド体１６がイジェクトバネ１７に抗してカード挿入方向（後方）へ移動する。スライド体１６が再び最押込み位置に移動した時点で大形カード１の挿入を止める（２回目の押込みを解除する）と、スライド体１６はロックが解除されてイジェクトバネ１７によってカード排出方向（前方）へ移動して初期位置へ復帰し、大形カード１の排出（イジェクト）が行われる。
【００３１】
図４及び図６及び図１２に示すように、大形カード１が正規挿入姿勢以外の姿勢でカード挿入口１０からカード挿入室１１に誤挿入された場合（１回目の押込み操作）、大形カード１はこの先端部（挿入端部）が初期位置にあるスライド体１６のカード収容凹部１８内に嵌込まれ、大形カード１の角落しされていない角部がカード収容凹部１８の周側壁の一部４７に当接する。この状態でさらに大形カード１の挿入（１回目の押込み操作）が続行されると、前記カード収容凹部１８の周側壁の一部４７が押圧されてスライド体１６がイジェクトバネ１７に抗してカード挿入方向（後方）へ移動するが、スライド体１６が最押込み位置に移動する前に第４受面（固定ロック規制部材３７の前端面）４４に大形カード１の角落しされていない角部先端面が突当たり干渉することで、スライド体１６の最押込み位置への移動が規制され、スライド体１６は最押込み位置に到達しないため、前記ロック機構３１は働かず、大形カード１の挿入を止める（１回目の押込みを解除する）と、スライド体１６はロックされていないためイジェクトバネ１７によってカード排出方向へ移動して初期位置に自動復帰し、誤挿入された大形カード１の自動排出（大形カード１の誤挿入対策）か行われる。
【００３２】
以上のような実施形態を採用したので、大形カード１及び小形カード２それぞれのカードが正規挿入姿勢以外の姿勢で誤挿入された場合、スライド体１６が初期位置に自動復帰するため、誤挿入されていることが確実にわかると共に、このようなカード誤挿入対策をコネクタの厚みを損なわずに実施できる。また本実施例のカード誤挿入対策として備える可動及び固定のロック規制部材３６,３７は各カード１,２の誤挿入荷重をスライド体１６に掛けることなくこのスライド体１６の移動を規制するので、樹脂成形品であるスライド体１６の破損を防止でき、引いてはスライド体１６の薄肉化によるコネクタのコンパクト化を実施できるようになる。
【００３３】
尚、専用コネクタの場合には可動ロック規制部材３６のみでカード誤挿入対策を実施できる。
【産業上の利用可能性】
【００３４】
メモリーカードに限らず矩形のカード先端一側に誤挿入防止用の角落し部があれば、コネクタ以外の機器のカード誤挿入対策としても適用できる。
【図面の簡単な説明】
【００３５】
【図１】カバーを取外したコネクタの外観斜視図である。
【図２】図１の平面図である。
【図３】大形カードの正規挿入状態を示すコネクタの平面図である。
【図４】大形カードの誤挿入状態を示すコネクタの平面図である。
【図５】大形カードの正規挿入状態を示すコネクタの断面側面図である。
【図６】大形カードの誤挿入状態を示すコネクタの断面側面図である。
【図７】小形カードの正規挿入状態を示すコネクタの平面図である。
【図８】小形カードの誤挿入状態を示すコネクタの平面図である。
【図９】小形カードの正規挿入状態を示すコネクタの断面側面図である。
【図１０】小形カードの誤挿入状態を示すコネクタの断面側面図である。
【図１１】カード正規挿入時のハートカム部の部分拡大平面図である。
【図１２】カード誤挿入時のハートカム部の部分拡大平面図である。
【符号の説明】
【００３６】
１    大形カード
２    小形カード
３    本体ボディ
１０  カード挿入口
１１  カード挿入室
１６  スライド体
１７  イジェクトバネ
２３  第１受面
２４  第２受面
３１  ロック機構
３４  角落し部
３５  角落し部
３６  可動ロック規制部材
３７  固定ロック規制部材
４６  溝
【図１】
2005050741.tif 000003
【図２】
2005050741.tif 000004
【図３】
2005050741.tif 000005
【図４】
2005050741.tif 000006
【図５】
2005050741.tif 000007
【図６】
2005050741.tif 000008
【図７】
2005050741.tif 000009
【図８】
2005050741.tif 000010
【図９】
2005050741.tif 000011
【図１０】
2005050741.tif 000012
【図１１】
2005050741.tif 000013
【図１２】
2005050741.tif 000014